(57)【要約】      （修正有）【課題】銅板等板金を素材に用いて室内、屋外装飾に関わる折り鶴に、雌雄の翼の趣と、各種の脚座によって設置、接着固定も自在の、倒れにくい安定感のある折り鶴製造方法を提供する。【解決手段】折り鶴の胴部に、翼部、頭部，尾部に設けた掛け爪や返し爪等によって相互に掛け留め結合する。翼部は、雌雄を合成展開図よって、掛け爪部分を切除するだけで雌雄いずれの翼部も成形可能である。頭部、尾部の座軸オに設ける各種の脚座ワは、設置、固定、装飾に広範囲な利用価値が生じる。【選択図】図１５
2005219055.tif 000002
【特許請求の範囲】
【請求項１】
銅板金等からなる素材面に、折り鶴の胴部を３％拡大した図を画き、掛け爪、支え爪を設け、翼部側付け根を半眼鏡状に切除して成形し、雄鶴または雌鶴の翼を左右に掛け留めたのち、頭部または尾部と接続固定し、完成することを特徴とした折り鶴の胴部の製造法。
【請求項２】
銅板金等からなる素材面に、雌雄の掛け爪、折りしろ、三角爪を設けた、雌雄の翼部合成展開図を画き、雄鶴の翼の成形時には、雌鶴の掛け爪部分を切除し、先端切除の折りしろ、雄鶴掛け爪、三角爪を用い、中央折線の下部を切り開き、翼を山形に成形して胴部の左右に掛け留める。
雌鶴の翼の成形時には、雄鶴の掛け爪部分を切除し、折りしろ、雌鶴掛け爪を用い、翼を谷形に成形して胴部の左右に掛け留めるのを特徴とした、雌雄の翼部合成展開図からなる雄鶴の翼（実線）、雌鶴の翼（細線）の製造法。
【請求項３】
銅板金等からなる素材面に、折り鶴の頭部と尾部の図を画き、折りしろと、頭部と尾部の付け根左右前方より、奥行き幅３分の１を座軸に脚座を設け、後方３分の２を返し爪にして、各種の脚座を座軸に設けることを特徴とした折り鶴頭部と尾部の製造法。
【発明の詳細な説明】
【０００１】
［産業上の利用分野］  本発明は、銅板金等板金を素材に用いた折り鶴からなり、座軸に設ける脚座による倒れない折り鶴と、雄鶴、雌鶴の製造により、室内、屋外美術工芸等多目的に用途の広がりをみせる、銅等板金の折り鶴およびその製造方法に関する。
【０００２】
［従来の技術］  折り鶴の形態を板金で表現するには難点が多く、確たる工法もないまま通常の板金加工や叩き出し、半田付け加工等々いずれも折り紙式の工程を意識しすぎて、折り鶴としての表現が成されず、折り鶴本体も不安定で、転倒しやすく、台座等への設置接着方法もなく、危険性さえあるところから制作難、不可能ともされていた。
【０００３】
［発明が解決しようとする課題］  本発明は、上記事情から鋭意研究の結果、銅板等板金を素材に、折り鶴を胴部、翼部、頭部、尾部に分別して加工することにより、成形工程を容易にしたものであって、本発明の主なる課題は、異なる翼の形状から雄鶴、雌鶴の表現。座軸を基とした各種脚座による安定性の高い倒れない折り鶴の制作。および美術装飾の一環として広範囲に利用できるその製造方法を提供することにある。
【０００４】
［発明が解決するための手段］  上記課題を解決するために、請求項１の発明では、銅板金等からなる素材面に、折り鶴の胴部を３％拡大した図（図１）を画き、掛け爪（イ）支え爪（ロ）、を設け、翼部側付け根（ハ）を半眼鏡状（ニ）に切除して成形し、雄鶴（図３）または雌鶴（図６）の翼を左右に掛け留めたのち、頭部（図９）または尾部（図１２）と接続固定し、完成することを特徴とした折鶴の胴部（図１）の製造法。
【０００５】    請求項２の発明では、銅板金等からなる素材面に、雌雄の掛け爪（イ）、折りしろ（ホ）、三角爪（ヘ）を設けた、雌雄の翼部合成展開図（図３．６）を画き、雄鶴の翼（図３）の成形時には雌鶴の掛け爪（イ）を切除し、折りしろ（ホ）、雄鶴の掛け爪（イ）、三角爪（ヘ）を用い、中央折線（ト）の下部（チ）を切り開き、翼を山形（リ）に成形して胴部の左右に掛け留める。雌鶴の翼（図６）の成形時には雄鶴の掛け爪（イ）を切除し、折りしろ（ホ）、雌鶴の掛け爪（イ）を用い、翼を谷形（ヌ）に成形して胴部の左右に掛け留めるのを特徴とした、雌雄の翼部合成展開図からなる雄鶴の翼（実線）雌鶴の翼（細線）の製造法。
【０００６】  請求項３の発明では、銅板金等からなる素材面に、折り鶴の頭部（図９）と尾部（図１２）の図を画き、折りしろ（ニ）と、頭部と尾部の付け根（ル）、左右前方より、奥行き幅３分の１を座軸（オ）に脚座（ワ）設け、後方３分の２を返し爪（カ）にして、座軸（オ）に各種の脚座（ワ）を設けるのを特徴とした、折り鶴頭部（図９）と尾部（図１２）の製造法。
【０００７】
［作  用］  本発明は、銅板金等からなる素材の裏面に折り鶴の各部分を画き、線上に沿って尖った道具で押し引く、線引き加工法によって成形する。折り鶴は折り筋の美しさを表現するもの、裏面加工の多い折り鶴成形には最適の加工法である。素材が半折りされた後に折りたたむ翼部、頭部、尾部の折りしろ（イ）先端部分（カ）の処理に高度な技術を要するが、以後の工程は容易となって成形される。また、折りしろ（イ）は折り筋補強のためのもの、素材の厚さ、裁断、加工方法（プレス等）によっては削除する。
折り鶴胴部は、３％拡大することによって各部の接続が容易となり、翼部も雌雄の趣をみせ，座軸に設ける各種の脚座によって折り鶴は倒れにくく、設置、固定は容易となり、安定度も増加して表面の仕上りも良く、雄鶴、雌鶴、大、小、各種の形状となる折り鶴は、金、銀、銅、メッキ、漆  箔、蒔絵等多種多彩、小品はケースに入り、記念品、贈答品から室内装飾に、屋外には門戸、庭園、建築物の装飾など幅広い用途が期待される。昔、平安時代すでに紋章に表われている日本独自の伝統芸術である折り鶴は、この作品によって一層の向上を図ることができる。
【０００８】
［実施例］  以下に、本発明の銅等板金を素材にした、座軸に脚座を設けた折り鶴と，雌雄の翼の製造方法に関わる実施例を、図面を参照にしつつ説明する
【０００９】
図１は、本発明による折り鶴胴部の３％拡大展開図である。図の如く、掛け爪、支え爪を設け、翼側半眼鏡状に切除した図を素材の裏面に画き、線上を数字順序に線引き加工（１．２．表面加工）し、半折り状態となった素材を、徐々に胴部の形状に整える。
図２は、折り鶴胴部の斜視図である。
【０００１０】
図３は、本発明による、雌雄の翼部合成展開図である。雄鶴の翼（実線）成形時には、図の如く雌鶴の掛け爪部分を切除して、掛け爪、折りしろ、三角爪を用い、中央折り線下部を切り開き、画いた線上を左右の折しろから数字順序に線引き加工（２．表面加工）し、折りしろの先端（ヨ）を切除して折りたたみ、同じく英字にそって順次折りたたみ、中央線上を山形に折り、雄鶴の翼に成形する。
図４は、雄鶴の翼部正面図
図５は、雄鶴の翼部背面図
【０００１１】
図６は、本発明による、雌雄の翼部合成展開図による雌鶴の翼部（細線）である。図の如く成形時には、雄鶴の掛け爪部分を切除して、かけ爪、折りしろを用い、画いた線上を左右の折しろから、数字順序に線引き加工（２．８．表面加工）し、折りしろの先端（ヨ）を切除して折りたたみ、同じく英字にそって順次折りたたみ、中央線上を谷形におり、雌鶴の翼に成形する。
図７は、雌鶴の翼部正面図
図８は、雌鶴の翼部背面図
【０００１２】
図９は、本発明による、座軸に各種の脚座を設けられる折り鶴頭部の展開図である。図の如く、折りしろと、頭部付け根左右前方より、奥行き幅３分の１を座軸にして脚座を設け、後方３分の２に返し爪を設ける。画いた線上を左右の折しろから数字順序に線引き加工し、折りしろの先端（ヨ）を切除して折りたたみ、同じく英字にそって順次折りたたみ嘴（タ）を加工し、脚座は返し折り裏面使用（図１０．１１参照）となる。
図１０は、折り鶴頭部の正面図。
図１１は、折り鶴頭部の背面図。
【０００１３】
図１２は、本発明による、座軸に各種の脚座を設けられる折り鶴尾部の展開図である。図の如く、折りしろと、尾部付け根左右前方より、奥行き幅３分の１を座軸にして脚座を設け、後方３分の２に返し爪を設ける。画いた線上を左右の折しろから数字順序に線引き加工し、折りしろの先端（ヨ）を切除して折りたたみ、同じく英字にそって順次折りたたみ、脚座は返し折り裏面使用（図１３．１４参照）に成形する
図１３は、折り鶴尾部の正面図。
図１４は、折り鶴尾部の背面図。
【０００１４】
図１５は、座軸に脚座を設けた折り鶴、雄鶴の斜視図。
図１６は、座軸に脚座を設けた折り鶴、雌鶴の斜視図。
【符号の説明】
（イ）  掛け爪        左右対称
（ロ）  支え爪        “    “
（ハ）  翼部側付け根
（ニ）  半眼鏡状
（ホ）  折りしろ      左右対称
（ヘ）  三角爪        “    ”
（ト）  中央折線
（チ）  中央折線下部
（リ）  山  形（雄鶴の翼）
（ヌ）  谷  形（雌鶴の翼）
（ル）  頭部と尾部の付け根    左右対称
（オ）  頭部と尾部の座軸      “    ”
（ワ）  頭部と尾部の脚座      “    ”
（カ）  頭部と尾部の返し爪    “    ”
（ヨ）  頭部と尾部の折りしろ先端部  左右対称
（タ）  嘴
１．  裏面線引き加工順序  左右対称  各部共通
２．  以下同じ
３．  “  ”
４．  “  ”
（１）  表面線引き加工部分  左右対称  胴部、頭部に該当。
（２）    “        ”      中央線を含む左右対称  雄鶴、雌鶴に該当。
（６）    “        ”      頭部嘴部分
（７）    “        ”      雌鶴  中央線を含む左右対称
Ａ    各部共通  折りたたみ順序
Ｂ    “    ”      “    ”
Ｃ    “    ”      “    ”
【図１】
2005219055.tif 000003
【図２】
2005219055.tif 000004
【図３】
2005219055.tif 000005
【図４】
2005219055.tif 000006
【図５】
2005219055.tif 000007
【図６】
2005219055.tif 000008
【図７】
2005219055.tif 000009
【図８】
2005219055.tif 000010
【図９】
2005219055.tif 000011
【図１０】
2005219055.tif 000012
【図１１】
2005219055.tif 000013
【図１２】
2005219055.tif 000014
【図１３】
2005219055.tif 000015
【図１４】
2005219055.tif 000016
【図１５】
2005219055.tif 000017
【図１６】
2005219055.tif 000018
【手続補正書】
【提出日】平成15年5月19日(2003.5.19)
【手続補正１】
【補正対象書類名】明細書
【補正対象項目名】図面の簡単な説明
【補正方法】変更
【補正の内容】
【図面の簡単な説明】
【図１】折り鶴胴部の展開図である。
【図２】折り鶴胴部の斜視図である。
【図３】折り鶴雌雄の翼部合成展開図である。
【図４】雄鶴の翼部正面図である。
【図５】雄鶴の翼部背面図である。
【図６】雌鶴の翼部展開図である。
【図７】雌鶴の翼部正面図である。
【図８】雌鶴の翼部背面図である。
【図９】座軸に脚座を設けた頭部の展開図である．
【図１０】座軸に脚座を設けた頭部の正面図である。
【図１１】座軸に脚座を設けた頭部の背面図である。
【図１２】座軸に脚座を設けた尾部の展開図である。
【図１３】座軸に脚座を設けた尾部の正面図である。
【図１４】座軸に脚座を設けた尾部の背面図である。
【図１５】座軸に脚座を設けた雄鶴の斜視図である。
【図１６】座軸に脚座を設けた雌鶴の斜視図である。
【符号の説明】
（イ）  掛け爪
（ロ）  支え爪
（ハ）  翼部側付け根
（ニ）  半眼鏡状
（ホ）  折りしろ
（ヘ）  三角爪
（ト）  中央折線
（チ）  中央折り線下部
（リ）  山  形・雄鶴の翼
（ヌ）  谷  形・雌鶴の翼
（ル）  頭部と尾部の付け根
（オ）  頭部と尾部の座軸
（ワ）  頭部と尾部の脚座
（カ）  頭部と尾部の返し爪
（ヨ）  頭部と尾部の折りしろ先端部
（タ）  嘴
１    裏面線引き加工順序
２    裏面・線引き加工順序
３    裏面・線引き加工順序
４    裏面・線引き加工順序
（１）  表面・線引き加工順序
（２）  表面・線引き加工順序
（６）  表面・線引き加工順序
（７）  表面・線引き加工順序
Ａ    折りたたみ加工順序
Ｂ    折りたたみ加工順序
Ｃ    折りたたみ加工順序